(57)【要約】  表面適用製品の使用説明書とのコンプライアンスを改善するための方法であって、適用表面を有する適用表面特徴部を検出することと、適用表面特徴部及び適用表面をリアルタイムでユーザーに表示することと、アプリケータグラフィックをアプリケータ表面と位置合わせし、適用表面特徴部を用いてアプリケータグラフィックを表示することと、アプリケータグラフィックを、アプリケータグラフィック移動シーケンスに従って移動させて、チュートリアルシーケンスを実行することと、を含む。
2021518785.tif 000002
【特許請求の範囲】
【請求項１】
表面適用製品の使用説明書とのコンプライアンスを改善する方法であって、
ａ）適用表面を有する適用表面特徴部を検出することと、
ｂ）前記適用表面特徴部及び適用表面をリアルタイムでユーザーに表示することと、
ｃ）アプリケータグラフィックを前記アプリケータの表面と位置合わせし、前記適用表面特徴部を用いて前記アプリケータグラフィックを表示することと、
ｄ）前記アプリケータグラフィックを、アプリケータグラフィック移動シーケンスに従って移動させて、チュートリアルシーケンスを実行することと、
を含むことを特徴とする方法。
【請求項２】
前記適用表面特徴部上の所定の特徴部を検出することを更に含むことを特徴とする請求項１に記載の方法。
【請求項３】
前記適用表面特徴部及び／又は所定の特徴部のｘ、ｙ、及びｚ座標を生成することを更に含むことを特徴とする請求項１又は２に記載の方法。
【請求項４】
前記アプリケータグラフィック移動シーケンスは、前記製品を前記適用表面に適用する方法を前記ユーザーに指示するために実行されることを特徴とする請求項１ないし３のいずれか一項に記載の方法。
【請求項５】
アプリケータグラフィックを作成するか又は得ることを更に含むことを特徴とする請求項１ないし４のいずれか一項に記載の方法。
【請求項６】
前記アプリケータグラフィックと前記適用表面特徴部との位置合わせを、前記チュートリアルシーケンス全体にわたって維持することを更に含むことを特徴とする請求項１ないし５のいずれか一項に記載の方法。
【請求項７】
前記アプリケータグラフィックは、人間の手又は手持ち式適用デバイスのものであることを特徴とする請求項１ないし６のいずれか一項に記載の方法。
【請求項８】
前記アプリケータグラフィックは、綿ボール、綿棒、布、拭き取り布、手袋、スパチュラ、ブラシ、スポンジ、ペン、棒、又はこれらの組み合わせのグラフィックを含むことを特徴とする請求項７に記載の方法。
【請求項９】
製品相談員は、コンピューティングデバイスに前記ユーザーのための前記方法を実行させることを特徴とする請求項１ないし８のいずれか一項に記載の方法。
【請求項１０】
前記アプリケータグラフィック移動シーケンスは、製品特性、前記ユーザーの特性、又は所定の製品性能特性に基づくことを特徴とする請求項１ないし９のいずれか一項に記載の方法。
【請求項１１】
前記アプリケータグラフィック及び適用表面特徴部は、モニタ、モバイルコンピューティングデバイスのスクリーン、テレビスクリーン、又はミラーのうちの１つ以上に表示されていることを特徴とする請求項１ないし１０のいずれか一項に記載の方法。
【請求項１２】
請求項１ないし１１のいずれか一項に記載の方法を実行するためのシステムであって、
ａ）グラフィック画像を取り込むように構成されたグラフィック入力デバイスと、
ｂ）ディスプレイと、
ｃ）請求項１ないし１１のいずれか一項に記載の工程を実行するようにプログラムされたプログラム可能なコンピュータと、
を備えたことを特徴とするシステム。
【発明の詳細な説明】
【技術分野】
【０００１】
ユーザーの顔及び皮膚に適用されるものを含む、表面適用製品のコンプライアンス及び／又は性能を改善するためのシステム及び方法である。
【背景技術】
【０００２】
皮膚又は他の身体表面に適用されるスキンケア及び美容製品などの、表面に適用される製品の消費者は、多くの場合、最良な結果又は宣伝された結果を得るためにその製品をどのように使用するかをよく知らないでいる。これは、製品の過剰若しくは過少使用、製品の不適切な適用、及び／又は製品を使用するための正しい方法に関する混乱のために、消費者をいらだたせることにつながり得る。ひいては、これは、製品の有効性を低下させ、最終的に売上が低下し、最終的にブランドが持つ資産的価値を低下させる可能性がある。
【０００３】
消費者が適用する製品のコンプライアンス及び有効性を改善する試みにおいて、多くの異なる方法及び技術が使用されてきた。しかしながら、これらは、以下の理由のうちの１つ以上のために失敗するか、又は消費者に望まれないことが多い：消費者が、長い説明書を読むために必要な時間を費やすことを好まないこと、消費者が、助けを借りるために移動することを望まないこと、消費者が、助けを借りるために他の人に尋ねることを望まないこと、用法が、所与の説明書に基づいて実践することが容易ではないこと、説明書が、ユーザーの潜在的集団にあまりに一般的であるため、消費者が自分自身で再現するのが困難であること、又はユーザーが、製品の適切な適用を確実にするための適切な工程を覚えることができない。印刷された、実物そっくりなグラフィック及び／又はビデオチュートリアルの使用は役立ち得るが、これらはなお、必要な情報を消費者に即座に、かつ消費者が効果的な適用のための適切な技術を迅速に理解し、実行し、覚えることができる方法で提供するのに至らぬことが多い。
【発明の概要】
【発明が解決しようとする課題】
【０００４】
したがって、製品の意図する使用、及び／又はどのように製品が効果的に適用されるかの消費者の理解を改善するための、費用効率が高く、直感的で、カスタマイズされた、使い易いシステム及び／又は方法をユーザーに提供することが望ましいであろう。本発明は、拡張現実及び認識技術の使用を組み合わせて、直感的かつ効果的なリアルタイムのアプリケーションチュートリアルを作成する。この特有な組み合わせは、従来のシステム及び方法に勝る驚くべきかつ予想外の利益を提供することが示されている。
【課題を解決するための手段】
【０００５】
表面適用製品の使用説明書とのコンプライアンスを改善するためのシステム及び方法であって、本方法は、適用表面を有する適用表面特徴部を検出する工程と、適用表面特徴部及び適用表面をリアルタイムでユーザーに表示する工程と、アプリケータグラフィックをアプリケータ表面と位置合わせし、適用表面特徴部を用いてアプリケータグラフィックを表示する工程と、アプリケータグラフィックを、アプリケータグラフィック移動シーケンスに従って移動させて、チュートリアルシーケンスを実行する工程と、を含む。
【図面の簡単な説明】
【０００６】
【図１】Ａ〜Ｉは、本方法の一例の簡略フローチャートである。
【図２Ａ】本方法の特定の工程がユーザーにどのように表示され得るかを示す例示的なグラフィック画像を示す。
【図２Ｂ】本方法の特定の工程がユーザーにどのように表示され得るかを示す例示的なグラフィック画像を示す。
【図２Ｃ】本方法の特定の工程がユーザーにどのように表示され得るかを示す例示的なグラフィック画像を示す。
【図２Ｄ】本方法の特定の工程がユーザーにどのように表示され得るかを示す例示的なグラフィック画像を示す。
【図３Ａ】本方法の特定の工程がユーザーにどのように表示され得るかを示す例示的なグラフィック画像を示す。
【図３Ｂ】本方法の特定の工程がユーザーにどのように表示され得るかを示す例示的なグラフィック画像を示す。
【図３Ｃ】本方法の特定の工程がユーザーにどのように表示され得るかを示す例示的なグラフィック画像を示す。
【図３Ｄ】本方法の特定の工程がユーザーにどのように表示され得るかを示す例示的なグラフィック画像を示す。
【発明を実施するための形態】
【０００７】
本明細書は、本発明を具体的に示しかつ明確に特許請求する特許請求の範囲で完結するが、本発明は以下の説明によってより深く理解されると考えられる。
【０００８】
本発明は、本明細書に記載される要素及び制限、並びに本明細書に具体的に記載されるか、ないしは別の方法で当業者に既知であるかに関わらず、本発明と共に使用するのに好適な追加又は任意の工程、構成要素、又は制限のいずれかを含んでもよい。
【０００９】
本明細書で使用するとき、用語「拡張現実」又は「ＡＲ」は、現実世界のユーザーのビュー上にコンピュータ生成画像を重ね合わせることにより、現実世界とコンピュータ生成グラフィックとの複合ビューを提供する技術を指す。
【００１０】
本明細書で使用するとき、用語「コンプライアンス」は、製品のユーザーが製品を使用し適用するための指示に厳密に追従する状況を指す。
【００１１】
本明細書で使用するとき、用語「非コンプライアンス」は、製品のユーザーが製品の使用又は適用説明書のうちの１つ以上に従うことがない状況を指す。
【００１２】
本明細書で使用するとき、用語「リアルタイム」は、イベントが発生する時間に、イベントからのデータを入力及び処理しユーザーにフィードバックを提供するのに必要な少量の追加時間を加えた実際の現在時間を指す。例えば、ユーザーのリアルタイム画像は、モバイルデバイスが画像を処理し、それをデバイスのスクリーン上に表示するために要する数ミリ秒を加えて、ユーザーが、例えばデバイスのカメラを介して画像情報を入力するのと同時に、コンピュータ、又は電話若しくはタブレットなどのモバイルコンピューティングデバイスのスクリーン上に表示することができる。
【００１３】
本発明の方法及びプロセスは、製品を表面にどのように適用するかについて消費者を教育するための既知の方法に関するいくつかの制限に対処する。加えて、本発明の方法及びプロセスは、ユーザーの使用説明書とのコンプライアンスを改善するのに役立つ。したがって、本発明の方法及びプロセスは、製品の有効性、製品における消費者の信頼性、及び最終的には製品の販売を改善しつつ、製品廃棄物を低減するのに役立ち得る。
【００１４】
具体的には、本発明の方法及びプロセスは、製品の意図する使用、及び／又はどのように製品が効果的に適用されるかの消費者の理解を改善するための、費用効率が高く、直感的で、カスタマイズされた、使い易いシステム及び／又は方法を消費者に提供する。本発明は、拡張現実及び認識技術の使用を組み合わせて、直感的かつ効果的なリアルタイムのアプリケーションチュートリアルを作成する。この独特の組み合わせは、表面に適用される製品の消費者を教育するために、従来のシステム及び方法に勝る驚くべきかつ予想外の利益を提供することが示されている。
【００１５】
これに限定されるものではないが、本発明のプロセス及び方法によって特に恩恵を受ける１つのタイプの消費者は、例えば、皮膚、毛髪、及び／又は爪などの、身体の表面に適用される製品の消費者である。身体に適用することができ、本発明のシステム及び方法の使用から利益を受けることができる製品の非限定的な例は、化粧品、スキンケア製品、ローション、薬剤、香油、クリーム、洗浄製品、日焼け止め剤、防臭剤、香料、顔料、保湿剤など、及び／又はこれらの組み合わせである。
【００１６】
多くの場合、ユーザーの身体表面に適用される製品は、消費者によく知られておらず、特有の説明書を有し、それに従わないか、又は部分的にだけ従う場合（すなわち、「非コンプライアンス」である場合）、望ましくない結果をもたらす可能性がある。例えば、製品の過小若しくは過剰使用、及び／又は製品の場所、適用手順、適用時間、及び／又は使用されるアプリケータに関する誤用は、消費者をいらだたせ、混乱させ、及び／又は製品に対して不満にさせ得る。また、宣伝された又は述べられる利益又は結果と一致しない、製品の有効性及び／又は性能を低減させる可能性もある。更に、ある特定の状況では、消費者の非コンプライアンスは、製品が廃棄される結果をもたらす可能性があり、これは、消費者にとって高額であり得、及び／又は製品の過小適用、過剰適用又は誤用のために消費者にとって更に有害であり得る。
【００１７】
消費者適用製品の製造業者及び販売業者並びにアドバイザー（例えば、医師、美容相談員、店員、製品専門家）は、そのような製品を使用する消費者に対して、書面による説明書、音声、グラフィック、ビデオ、対面の実演、及び更には拡張現実を含む、様々な手段によって消費者体験及びコンプライアンスを改善する試みを長年にわたって試みてきた。しかしながら、現在まで使用されている方法は、以下の理由のうちの１つ以上のために失敗するか、又は消費者に望まれないことが多い：消費者が、長い説明書を読むために必要な時間を費やすことを好まないこと、消費者が、助けを借りるために移動することを望まないこと、消費者が、助けを借りるために他の人に尋ねることを望まないこと、用法が、所与の説明書に基づいて実践することが容易ではないこと、説明書が、ユーザーの潜在的集団にあまりに一般的であるため、消費者が自分自身で再現するのが困難であること、又はユーザーが、製品の適切な適用を確実にするための適切な工程を覚えることができない。更に、ユーザーに指示を与えるための既知の方法は、必要な情報を消費者に即座に、かつ消費者が効果的な適用のための適切な技術を迅速に理解し、実行し、覚えることができる方法で提供するのに至らぬことが多い。
【００１８】
驚くべきことに、本発明のプロセス及び方法を使用して、表面適用製品の適用及び使用説明書に対する消費者のコンプライアンスが著しく改善され得ることが見出された。具体的には、製品が適用される実際の表面、並びに使用されるアプリケーションデバイスのコンピュータ生成されたグラフィックを示すリアルタイムの拡張現実を使用することが、消費者によって好まれ、他の方法よりも、使用及び適用説明書とのより良好なコンプライアンスをもたらし、消費者が実行及び覚えるのがより容易であり、指示されたとおりに使用された場合に、製品の期待される、宣伝される、又は述べられた結果と一致する傾向がある全体的により一貫しかつより良好な結果を提供することがわかっている。
【００１９】
例えば、ローション、クリーム、マスク、香油、日焼け止め剤などのスキンケア製品の適用、リ製品を適用するために使用される器具及びどのようにそれが適切に適用されるかのアニメーションと共に、製品が適用される表面を表示するためのリアルタイムの拡張現実の使用は、他のユーザー指示方法と比較して、著しく改善された適用コンプライアンス、製品の満足度及び製品の改善された有効性をもたらすであろうことが予想外にもわかった。
【００２０】
本発明によるシステム及び方法の例が、以下に記載される。実施例は、具体的には、例えば、化粧品、ローション、薬剤、日焼け止め剤、香油、洗浄製品、脱臭剤、香料、顔料、保湿剤などの皮膚適用製品を目的とするが、本発明は、このような用途に限定されるものではなく、その特定の実施形態に限定されるとして本明細書に明示的に記載されない限り、ありとあらゆる表面適用製品に関連するものと理解されるべきである。
【００２１】
特定の入力及び出力デバイスを有する、本発明のシステム及び方法が、本明細書で説明されている。そのような入力及び出力デバイスは、本方法を実行するために使用することができるデバイスの例に過ぎないことを理解されたい。他の好適な入力及び出力デバイスは、本発明の方法及びシステムと共に使用することができ、本明細書の開示は、任意のそのようなデバイスに関して限定するものとみなされるべきではないことが完全に想到される。加えて、本明細書に記載されるように、本発明の方法及び／又はシステムは、コンピューティングデバイスのための特定のソフトウェア及び実行可能な命令を含み得るか、又はそれを伴ってもよい。本発明の入力及び出力デバイスと同様に、任意の特定のソフトウェア又はコンピュータ命令の開示は、異なるソフトウェア及びコンピュータ命令が同じ又は著しく同じ結果をもたらすことができると完全に期待されるように、特定の言語又はフォーマットに関して限定されるべきではない。したがって、本発明は、必要な入力、計算、変換、及び出力を提供するための方法及びプロセスにおいて使用されるデバイスを有効にする、すべての好適なソフトウェア、コード、及びコンピュータ実行可能命令を包含すると考えられるべきである。最後に、図に示され本明細書に記載される特定のグラフィックは、特許請求される発明の方法及びプロセスに好適なグラフィックの単なる例である。任意の特定の使用のための特定のグラフィックが、所望の使用のために作成、選択、及び／又はカスタマイズされることが完全に想到される。
【００２２】
図１Ａ〜図１Ｉは、本発明のプロセス及び方法の簡略フローチャートを形成する。具体的には、フローチャートは、顔用ローションなどのスキンケア製品の使用説明書とのコンプライアンスを改善する方法に含まれる工程を示す。示される工程は、本方法の工程の一般的な流れを示すことを意図している。しかしながら、工程の順序は重要ではなく、示される工程のいずれかの前、それらの間、又は後に、追加の工程を本方法において含めることができることを理解されたい。加えて、図１Ａ〜図１Ｉに示される工程は、一部又はすべてが本発明の実施形態で使用され得ることを例示しているが、すべての実施形態において、示される特定の工程のいずれか又はすべてが必要とされるものではなく、いくつかの工程が組み合わされ、２つを超える工程に分離され、及び／又は変更されても、依然として本発明内であるとみなされ得ることが企図される。図１Ａ〜図１Ｉによって表される工程の説明は、参照目的のために、図２Ａ〜図２Ｄ及び図３Ａ〜図３Ｄに数値的に図示及びコールアウトされる特徴を指す。
【００２３】
図１Ａは、適用表面特徴部を検出する工程を表す。本明細書で使用するとき、「適用表面特徴部」は、製品が適用される表面又は表面の一部分を指す。例えば、図２Ａに示すように、適用表面特徴部１００は、顔、顔の一部分、又は身体の他の部分などの、ユーザーの皮膚の一部分であり得る。適用表面特徴部１００は、例えば、図２Ａ〜図２Ｄに示すカメラ１２０などの画像入力デバイス１１０によって検出される。画像入力デバイス１１０は、ユーザーが、ユーザーの顔などの適用表面特徴部１００のリアルタイム画像を、更なる処理のためにコンピュ−ティングデバイス１３０、例えばコンピュータ、携帯電話、タブレットなどに入力することを可能にする。コンピューティングデバイス１３０は、画像を検出、表示、及び／又は変換することを可能にするソフトウェア、コード、又はその他の命令を含むか、又はそれらを実行可能である。
【００２４】
図１Ｂは、適用表面特徴部１００の１つ以上の所定の特徴部特性１４０を検出する工程を表す。例えば、コンピューティングデバイス１３０は、適用表面特徴部１００がユーザーの顔である場合、ユーザーの唇、鼻、目、及び眉を検出し得る。この工程により、コンピューティングデバイス１３０は、適用表面特徴部１００の位置、並びに特徴部を「追跡」するために、かつ／又は出力グラフィックがどのように表示され得るか及び／若しくはどこに表示され得るかを特定するために使用され得る異なる所定の特徴部１４０の相対位置を決定することが可能になる。
【００２５】
図１Ｃは、適用表面特徴部１００及び任意の所定の特徴部特性１４０のｘ、ｙ及びｚ座標を生成する工程を表す。この工程により、コンピューティングデバイス１３０は、異なる所定の特徴部１４０の相対位置を決定することが可能になり、並びに出力グラフィックがどのように表示されるべきか及び／又はどこに表示されるべきかを特定するために、適用表面特徴部１００及び／又は所定の特徴部を「追跡」するために使用することができる。
【００２６】
図１Ｄは、適用表面特徴部１００の表示を表す。図２Ａ〜図２Ｄ及び図３Ａ〜図３Ｄは、モバイルデバイス上に表示された適用表面特徴部１００の例を示す。図は、プロセス中のある特定の時間に選択された代表的なグラフィックのみを示す。典型的な使用シナリオでは、本発明の方法及びプロセスは、適用表面特徴部１００をリアルタイムで表示し、指示実演説明が開始されると、適用表面特徴部１００は、命令シーケンス全体にわたって連続的に、又はほぼ連続的に表示される。
【００２７】
図２Ａ〜図２Ｄ及び図３Ａ〜図３Ｄに示されるグラフィックは、携帯電話又はタブレットコンピュータなどのモバイルデバイス上に表示され得るものを表す。しかしながら、本発明は、任意の１つ以上の好適なディスプレイ上の、又は限定するものではないが、モニタ、モバイルコンピューティングデバイス、テレビスクリーン、投影画像、ホログラフィック画像、ミラー、スマートミラー、所望の用途のための任意の好適なサイズの任意の他の表示デバイス、及びこれらの組み合わせが挙げられる、ユーザーによって見ることができる任意の好適な方法での関連するグラフィックの表示を想到する。
【００２８】
図１Ｅは、アプリケータグラフィック１５０の作成を表す。アプリケータグラフィック１５０は、言葉又は音などの追加情報を必要とせずに製品を使用する方法に関する詳細な情報をユーザーに提供するので、本発明の重要な特徴である。アプリケータグラフィック１５０は、使用される特定の適用デバイス及びそれがどのように使用されるかをユーザーに示すために、適用表面特徴部１００（例えば、ユーザーの顔）の画像と共に表示され得る。グラフィック自体は、アニメーション化されるか、又はコンピュータ生成される。すなわち、これはユーザーの身体又はアプリケータの一部分の反映又は表示だけではなく、むしろ、コンピューティングデバイスによって少なくとも部分的に作り出され、動かされ、及び／又は操作される。アプリケータグラフィック１５０は、実際の身体部分若しくはデバイスのグラフィックコピー（例えば、電子写真画像）であってもよく、又は特定のアプリケータデバイスのグラフィック表現であってもよい。いずれの場合も、アプリケータグラフィック１５０は、適用表面特徴部１００にわたるアプリケータグラフィック１５０の表示と、本方法をユーザーに直感的にさせ、使用指標とのコンプライアンスを大幅に増加させるアプリケータグラフィック１５０の移動と、の組み合わせであるので、ユーザーに認識可能であるべきである。
【００２９】
図１Ｆは、アプリケータグラフィック１５０の移動シーケンスを作成する工程を表す。本明細書で使用するとき、「アプリケータグラフィック」は、製品を適用表面１６０に適用するのに使用されるアプリケータを表すコンピュータ生成されたグラフィックである。適用表面１６０は、製品が適用される適用表面特徴部１００の部分である。例えば、図２Ａ〜図２Ｃに示されるように、適用表面１６０は、ユーザーの顔の頬部分である。アプリケータは、手、綿棒、布、拭き取り布、手袋、スパチュラ、ブラシ、スポンジ、ペン、棒、又は製品の適用に好適な任意のその他のデバイスが挙げられるがこれらに限定されない、製品のための任意の好適なアプリケータ（単数又は複数）であり得る。アプリケータグラフィック１５０は、一般に、例えば、製造業者、流通業者、アドバイザー、又は販売業者などの使用説明書を提供する者によって決定される製品のための好ましいアプリケータ、又は好ましい若しくは承認されたアプリケータのうちの１つである。
【００３０】
本明細書で説明される移動シーケンスは、ユーザーが製品を適用面１６０に適切に適用するために辿るべきである移動の、所定のシーケンスである。移動シーケンスは、典型的には、本方法を開始する前に、コンピューティングデバイス１３０に事前にプログラムされ、かつ利用可能であり、及び／又は記憶されているであろう。しかしながら、移動シーケンスは、コンピューティングデバイス１３０によってリアルタイムで生成され、かつ／又は本方法が実行される前又は実行中にコンピューティングデバイス１３０に提供され得ることが想到される。加えて、コンピューティングデバイス１３０は、異なる製品の異なる用途、異なるアプリケータに使用することができる２つ以上の異なる移動シーケンスを含むか、又は取得することができ、あるいはユーザー若しくは販売業者が、製品、ユーザー、又は製品の所望の性能特性に基づいて予め特定された若しくは入力された特性又は条件に基づいて、移動シーケンスをカスタマイズすることを可能にする。例えば、移動シーケンスは、ブラシ又はスポンジが使用されているときと比べて、アプリケータとしての手の使用のために異なってもよい。更に、移動シーケンスは、ユーザーの皮膚、皮膚の色、又は他の所定の属性の下で異なる骨構造に対応するように異なっていてもよい。追加的に又は代替的に、ユーザー、販売業者、又はアドバイザーは、製品が最も効果的に適用される方法を変更する、特定の「モード」又は使用優先度をデバイスに入力することができる。
【００３１】
図１Ｇは、アプリケータグラフィック１５０を適用表面特徴部１００の適切な部分と位置合わせする工程を表し、これにより、アプリケータグラフィック１５０の移動シーケンスは、製品の適切な適用を確実にするためにアプリケータがどのように適用表面１６０に関連して移動されるかを適切に表す。
【００３２】
図１Ｈ及び図１Ｉは、表示された適用表面特徴部１００を横切ってアプリケータグラフィック１５０を移動させて、適用表面１６０への製品の適切な適用を描写し、アプリケータグラフィック１５０の適用表面１００への位置合わせを命令シーケンス全体にわたって維持することを表す。アプリケータグラフィック１５０と適用表面特徴部１００の適用表面１６０とのリアルタイムでの位置合わせは、ユーザーが製品を適用表面１６０に適用していることを示すように見える、拡張現実体験をユーザーに提供する。特に有効な拡張現実の場合、アプリケータグラフィック１５０は、これが命令シーケンスの間に移動しても、適用表面特徴部１００と共に追跡することができるべきである。
【００３３】
図２Ａ〜図２Ｄは、ユーザーが手を使用して顔用クリームをどのように適用するかを指示される本発明の一例を示す。図２Ａは、適用表面特徴部１００、この場合はユーザーの顔が、携帯電話などのモバイルコンピューティングデバイス上にどのように表示され得るかを示す。図２Ｂは、アプリケーショングラフィック１５０が、適用表面特徴部１００の表示と組み合わせて、どのようにデバイス上に表示され得るかを示す。図２Ｃ及び図２Ｄは、製品を適用表面１６０に適切に適用する方法をユーザーに示すために、アプリケータデバイス１５０（手）が適用表面特徴部１００にわたって所定のシーケンスでどのように移動するかを示す。
【００３４】
図３Ａ〜図３Ｄは、図２Ａ〜図２Ｄと同様であるが、ただし、アプリケータグラフィック１５０によって描かれたアプリケータは、ユーザーの手ではなく「棒」などのデバイスである。
【００３５】
以下に示すように、どのようにアプリケータを使用するべきかに加えて、どんなアプリケータを使用するべきかの使用をユーザーに指示するための、適用表面特徴部１００、アプリケータグラフィック１５０及び適用表面特徴部１００の適切な部分にわたるアプリケータグラフィック１５０のアニメーション化された移動の表示の特有な組み合わせが、使用説明書との大幅に改善されたコンプライアンスを提供するのみならず、製品の改善された有効性及び製品に対する改善された総合的な満足度も提供することが驚くべきことに判明した。
【００３６】
データ
本発明の方法の有効性を決定するために、いくつかの異なる種類の試験を行い、表面への製品の適用を必要とする新製品に触れたときの使用説明書の消費者の嗜好を決定した。
【００３７】
最初に、６人の試験員に、ユーザーに製品を表面に適用する方法を指示するための異なる既知の方法を示した。具体的には、試験員には、美容相談員によって直接、ハウツービデオ及び２Ｄ描画（pictorials）を見るように指示が与えられた。次いで、試験員に、アプリケータグラフィックを有するリアルタイム拡張現実を含む、本発明の方法を示した。すべての試験員が、試験員が別途示された他のチュートリアル方法よりも本発明の方法を好んだ。
【００３８】
第２に、１０人の女性の試験員に、本明細書に記載されるようなリアルタイム拡張現実を含む２つの同様のチュートリアルを見せた。しかしながら、第１のチュートリアルは、アプリケータグラフィック（コンピュータ生成された手）を含み、第２チュートリアルは含まなかった。むしろ、チュートリアルの第２のバージョンは、製品が適用されるべきユーザーの顔の正しい部分を強調することによって製品を適用する場所をユーザーに示しただけであった。すべての試験員が、アプリケータグラフィックを含むチュートリアルのバージョンを好んだ。更に、すべての試験員は、アプリケータグラフィックを含むチュートリアルのバージョンが、アプリケータグラフィックなしのチュートリアルのバージョンと比べて、製品の使用説明書を配信するのに有効であることを見出した。研究の一覧化された結果を以下の表１に示す。
【００３９】
【表１】
2021518785.tif 000003
【００４０】
第３に、６人の試験員で研究を行った。すべての試験員に、ＳＫ−ＩＩ（商標）ＲＮＡクリームを供与して１週間使用させた。３人の試験員の第１の群（「対照群」）には、クリームを適用する方法を説明し描写したビデオを見せた。３人の試験員の第２の群（「試験群」）には、対照群と同じビデオを見せたが、次いで、ユーザーのリアルタイム画像の上に重ね合わせられたアプリケータグラフィックを含むリアルタイムの拡張現実チュートリアルを含むデジタルデバイス（携帯電話）上のチュートリアルを見るよう求めた。説明書を提供した後、両方の群は、製品を１週間使用した後、評価のために戻るよう求められた。試験群の全員が、試験員を評価する専門の美容相談員により準拠していると評点された。更に、リアルタイム拡張現実指示を見たすべての試験員は、皮膚における更なる改善を観察したことを報告した。対照群のすべての試験員は、試験員を評点する専門の美容相談員によって、部分的にのみ準拠（すなわち、非準拠）していることが評点された。試験結果を下表２に示す。
【００４１】
【表２】
2021518785.tif 000004
【００４２】
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのようなすべての変更及び修正を添付の特許請求の範囲に網羅することが意図されている。
【００４３】
本明細書にて開示される寸法及び値は、列挙された正確な数値に厳密に限定されるものとして理解されるべきではない。むしろ、特に指示がない限り、そのような各寸法は、列挙された値とその値を囲む機能的に同等な範囲との両方を意味することが意図されている。例えば、「４０ｍｍ」と開示される寸法は、「約４０ｍｍ」を意味することが意図される。
【００４４】
相互参照される又は関連するすべての特許又は特許出願、及び本願が優先権又はその利益を主張する任意の特許出願又は特許を含む、本願に引用されるすべての文書は、除外又は限定することを明言しない限りにおいて、参照によりその全体が本明細書に組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのようないかなる発明も教示、示唆又は開示するとはみなされない。更に、本文書における用語の任意の意味又は定義が、参照により組み込まれた文書内の同じ用語の任意の意味又は定義と矛盾する場合、本文書においてその用語に与えられた意味又は定義が適用されるものとする。
【００４５】
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのようなすべての変更及び修正を添付の特許請求の範囲に網羅することが意図されている。
【図１】
2021518785.tif 000005
【図２Ａ】
2021518785.tif 000006
【図２Ｂ】
2021518785.tif 000007
【図２Ｃ】
2021518785.tif 000008
【図２Ｄ】
2021518785.tif 000009
【図３Ａ】
2021518785.tif 000010
【図３Ｂ】
2021518785.tif 000011
【図３Ｃ】
2021518785.tif 000012
【図３Ｄ】
2021518785.tif 000013
【国際調査報告】
2021518785.tif 000014
2021518785.tif 000015